(57)【要約】【課題】余剰電力販売者の設備と同じ電力供給網に接続されていない電気事業者に対しても余剰電力を販売することができる余剰電力売買システムを提供する。【解決手段】販売情報通知手段９１は、販売情報を受信し、余剰電力供給システム８０と同一の電力供給網に接続された送電システムおよびその電力供給網に接続されていない送電システムに対して、その販売情報を送信する。入札情報受信手段９２は、それらの各送電システムから入札情報を受信し、販売先決定手段９３は、入札情報に基づいて余剰電力の販売先を決定する。オークションシステム側受電手段９５は、余剰電力供給システム側送電手段８４が余剰電力として送電した電力を受電する。オークションシステム側送電手段９６は、その電力を、販売先として決定された送電システムに送電する。【選択図】図６
2013222252.tif 000002
【特許請求の範囲】
【請求項１】
電力を発電し、余剰電力を供給する余剰電力供給システムと、
前記余剰電力供給システムと同一の電力供給網に接続された送電システムおよび前記電力供給網に接続されていない送電システムとの間で通信を行い、余剰電力の販売先となる送電システムを決定するオークションシステムとを備え、
前記余剰電力供給システムは、
電力を発電する発電手段と、
電力販売時期および電力販売量を示す販売情報を前記オークションシステムに送信する販売情報送信手段と、
前記オークションシステムから販売先となる送電システムの決定結果を受信する決定結果受信手段と、
前記決定結果を受信した場合に、電力販売時期に前記オークションシステムに対して余剰電力を送電する余剰電力供給システム側送電手段とを含み、
前記オークションシステムは、
前記販売情報を受信し、前記余剰電力供給システムと同一の電力供給網に接続された送電システムおよび前記電力供給網に接続されていない送電システムに対して、前記販売情報を送信する販売情報通知手段と、
前記余剰電力供給システムと同一の電力供給網に接続された送電システムおよび前記電力供給網に接続されていない送電システムから入札情報を受信する入札情報受信手段と、
前記入札情報に基づいて余剰電力の販売先となる送電システムを決定する販売先決定手段と、
販売先となる送電システムの決定結果を前記余剰電力供給システムに送信する決定結果送信手段と、
前記余剰電力供給システム側送電手段が余剰電力として送電した電力を受電するオークションシステム側受電手段と、
前記電力を、販売先として決定された送電システムに送電するオークションシステム側送電手段とを含む
ことを特徴とする余剰電力売買システム。
【請求項２】
余剰電力供給システムは、
当該余剰電力供給システムと同一の電力供給網に接続された送電システムから電力を受電する余剰電力供給システム側受電手段と、
発電手段が発電した電力および前記余剰電力供給システム側受電手段が受電した電力のうち、当該余剰電力供給システムの管理者によって使用されなかった電力を蓄電する蓄電手段とを含み、
余剰電力供給システム側送電手段は、
前記蓄電手段に蓄電された電力を余剰電力としてオークションシステムに対して送電する
請求項１に記載の余剰電力売買システム。
【請求項３】
電力を発電し余剰電力を供給する余剰電力供給システムから、電力販売時期および電力販売量を示す販売情報を受信し、前記余剰電力供給システムと同一の電力供給網に接続された送電システムおよび前記電力供給網に接続されていない送電システムに対して、前記販売情報を送信する販売情報通知手段と、
前記余剰電力供給システムと同一の電力供給網に接続された送電システムおよび前記電力供給網に接続されていない送電システムから入札情報を受信する入札情報受信手段と、
前記入札情報に基づいて余剰電力の販売先となる送電システムを決定する販売先決定手段と、
販売先となる送電システムの決定結果を前記余剰電力供給システムに送信する決定結果送信手段と、
前記余剰電力供給システムが余剰電力として送電した電力を受電するオークションシステム側受電手段と、
前記電力を、販売先として決定された送電システムに送電するオークションシステム側送電手段とを備える
ことを特徴とするオークションシステム。
【請求項４】
電力を発電し、余剰電力を供給する余剰電力供給システムであって、
電力を発電する発電手段と、
当該余剰電力供給システムと同一の電力供給網に接続された送電システムから電力を受電する余剰電力供給システム側受電手段と、
前記発電手段が発電した電力および前記余剰電力供給システム側受電手段が受電した電力のうち、当該余剰電力供給システムの管理者によって使用されなかった電力を蓄電する蓄電手段と、
前記電力供給網に接続された送電システムおよび前記電力供給網に接続されていない送電システムから受信する入札情報に基づいて余剰電力の販売先となる送電システムを決定するオークションシステムに、電力販売時期および電力販売量を示す販売情報を送信する販売情報送信手段と、
前記オークションシステムから販売先となる送電システムの決定結果を受信する決定結果受信手段と、
前記決定結果を受信した場合に、電力販売時期に前記オークションシステムに対して余剰電力を送電する余剰電力供給システム側送電手段とを備え、
前記余剰電力供給システム側送電手段は、
前記蓄電手段に蓄電された電力を余剰電力として前記オークションシステムに対して送電する
ことを特徴とする余剰電力供給システム。
【請求項５】
電力を発電し、余剰電力を供給する余剰電力供給システムが、
当該余剰電力供給システムと同一の電力供給網に接続された送電システムおよび前記電力供給網に接続されていない送電システムとの間で通信を行い、余剰電力の販売先となる送電システムを決定するオークションシステムに対して、電力販売時期および電力販売量を示す販売情報を送信し、
前記オークションシステムが、
前記販売情報を受信し、前記余剰電力供給システムと同一の電力供給網に接続された送電システムおよび前記電力供給網に接続されていない送電システムに対して、前記販売情報を送信し、
前記余剰電力供給システムと同一の電力供給網に接続された送電システムおよび前記電力供給網に接続されていない送電システムから入札情報を受信し、
前記入札情報に基づいて余剰電力の販売先となる送電システムを決定し、
販売先となる送電システムの決定結果を前記余剰電力供給システムに送信し、
前記余剰電力供給システムが、
前記決定結果を受信した場合に、電力販売時期に前記オークションシステムに対して余剰電力を送電し、
前記オークションシステムが、
前記余剰電力供給システムによって余剰電力として送電された電力を受電し、
前記電力を、販売先として決定された送電システムに送電する
ことを特徴とする余剰電力売買方法。
【請求項６】
余剰電力供給システムが、
当該余剰電力供給システムと同一の電力供給網に接続された送電システムから電力を受電し、
前記電力および当該余剰電力供給システムが発電した電力のうち、当該余剰電力供給システムの管理者によって使用されなかった電力を蓄電し、
蓄電した電力を余剰電力としてオークションシステムに対して送電する
請求項５に記載の余剰電力売買方法。
【請求項７】
電力を発電し余剰電力を供給する余剰電力供給システムが余剰電力として送電した電力を受電する受電手段と、電力の販売先となる送電システムに前記電力を送電する送電手段とを備えるコンピュータに搭載されるオークションプログラムであって、
前記コンピュータに、
前記余剰電力供給システムから、電力販売時期および電力販売量を示す販売情報を受信し、前記余剰電力供給システムと同一の電力供給網に接続された送電システムおよび前記電力供給網に接続されていない送電システムに対して、前記販売情報を送信する販売情報通知処理、
前記余剰電力供給システムと同一の電力供給網に接続された送電システムおよび前記電力供給網に接続されていない送電システムから入札情報を受信する入札情報受信処理、
前記入札情報に基づいて余剰電力の販売先となる送電システムを決定する販売先決定処理、
販売先となる送電システムの決定結果を前記余剰電力供給システムに送信する決定結果送信処理、および、
前記余剰電力供給システムから受電した電力を、前記販売先となる送電システムに送電するように前記送電手段を制御する送電制御処理
を実行させるためのオークションプログラム。
【請求項８】
電力を発電する発電手段を備えるコンピュータであって、当該コンピュータと同一の電力供給網に接続された送電システムから電力を受電する受電手段と、前記発電手段が発電した電力および前記受電手段が受電した電力のうち、当該コンピュータの管理者によって使用されなかった電力を蓄電する蓄電手段と、電力を送電する送電手段とを備えるコンピュータに搭載される余剰電力供給プログラムであって、
前記コンピュータに、
前記電力供給網に接続された送電システムおよび前記電力供給網に接続されていない送電システムから受信する入札情報に基づいて余剰電力の販売先となる送電システムを決定するオークションシステムに、電力販売時期および電力販売量を示す販売情報を送信する販売情報送信処理、
前記オークションシステムから販売先となる送電システムの決定結果を受信する決定結果受信処理、
前記決定結果を受信した場合に、電力販売時期に前記オークションシステムに対して、前記蓄電手段に蓄電した電力を送電するように前記送電手段を制御する送電制御処理
を実行させるための余剰電力供給プログラム。
【発明の詳細な説明】
【技術分野】
【０００１】
本発明は、余剰電力をオークションにより売買する余剰電力売買システム、余剰電力売買方法、および、余剰電力売買システムに適用されるオークションシステム、余剰電力供給システム、オークションプログラム、余剰電力供給プログラムに関する。
【背景技術】
【０００２】
電気事業の自由化に伴い、自ら発電を行い、自ら使用する電力量を超える電力（余剰電力）を、電気事業者に販売することが可能となった。自ら電力を発電し、余剰電力を電気事業者に販売する者を余剰電力販売者と記す。電気事業者以外の企業（例えば、工場またはオフィス等を有する企業）が自ら発電を行い、余剰電力を電気事業者に販売すれば、その企業は、余剰電力販売者に該当する。
【０００３】
図７は、余剰電力の販売先となる一般電気事業者および特定規模電気事業者を模式的に示す模式図である。一般に、余剰電力販売者２４０は、余剰電力販売者２４０の電力設備が接続されている電力供給網２３０に接続されている一般電気事業者２１０または特定規模電気事業者２２０に対して余剰電力を供給する。余剰電力販売者２４０は、一般電気事業者２１０または特定規模電気事業者２２０との間で、予め余剰電力の販売価格を決定しておき、その価格で余剰電力を販売する。なお、特定規模電気事業者は、ＰＰＳ（Power Producer and Supplier ）とも称される。
【０００４】
また、近年では、電力消費予報精度が向上した。その結果、電力消費のピーク時を予想することが比較的容易になった。そして、一般電気事業者および特定規模電気事業者は、予想される電力消費のピーク時における電力不足量を推定できるようになった。また、余剰電力販売者は、予想される電力消費のピーク時における販売可能な余剰電力の量を推定できるようになった。
【０００５】
また、余剰電力売買方法として、販売する電力の電力量および販売開始日時を公開し、応札情報によって示される価格と電力量とに基づいて電力の販売先を決定する方法が特許文献１に記載されている。
【先行技術文献】
【特許文献】
【０００６】
【特許文献１】特開２０１１−２２９２３４号公報（段落００２０）
【発明の概要】
【発明が解決しようとする課題】
【０００７】
前述のように、一般に、余剰電力販売者２４０は、余剰電力販売者２４０の電力設備が接続されている電力供給網２３０（図７参照）に接続されている一般電気事業者２１０または特定規模電気事業者２２０に対して余剰電力を供給する。従って、特許文献１に記載された方法のように応札情報に基づいて電力の販売先を決定したとしても、その販売先は、余剰電力販売者２４０と同じ電力供給網に接続されている一般電気事業者２１０または特定規模電気事業者２２０に限られる。そのため、余剰電力販売者２４０と同じ電力供給網２３０に接続されていない電気事業者に対する売電を行えない。
【０００８】
また、余剰電力販売者は、自ら発電した電力だけでなく、自ら発電した電力と電気事業者から供給される電力のうち、余剰電力を販売できることが好ましい。
【０００９】
そこで、本発明は、余剰電力販売者の設備と同じ電力供給網に接続されていない電気事業者に対しても余剰電力を販売することができる余剰電力売買システム、余剰電力売買方法、および、その余剰電力売買システムに適用されるオークションシステム、オークションプログラムを提供することを目的とする。
【００１０】
また、余剰電力販売者が発電した電力と電気事業者から供給される電力のうちの余剰電力を販売することができる余剰電力供給システム、余剰電力供給プログラムを提供することを目的とする。
【課題を解決するための手段】
【００１１】
本発明による余剰電力売買システムは、電力を発電し、余剰電力を供給する余剰電力供給システムと、余剰電力供給システムと同一の電力供給網に接続された送電システムおよびその電力供給網に接続されていない送電システムとの間で通信を行い、余剰電力の販売先となる送電システムを決定するオークションシステムとを備え、余剰電力供給システムが、電力を発電する発電手段と、電力販売時期および電力販売量を示す販売情報をオークションシステムに送信する販売情報送信手段と、オークションシステムから販売先となる送電システムの決定結果を受信する決定結果受信手段と、決定結果を受信した場合に、電力販売時期にオークションシステムに対して余剰電力を送電する余剰電力供給システム側送電手段とを含み、オークションシステムが、販売情報を受信し、余剰電力供給システムと同一の電力供給網に接続された送電システムおよびその電力供給網に接続されていない送電システムに対して、販売情報を送信する販売情報通知手段と、余剰電力供給システムと同一の電力供給網に接続された送電システムおよびその電力供給網に接続されていない送電システムから入札情報を受信する入札情報受信手段と、入札情報に基づいて余剰電力の販売先となる送電システムを決定する販売先決定手段と、販売先となる送電システムの決定結果を余剰電力供給システムに送信する決定結果送信手段と、余剰電力供給システム側送電手段が余剰電力として送電した電力を受電するオークションシステム側受電手段と、その電力を、販売先として決定された送電システムに送電するオークションシステム側送電手段とを含むことを特徴とする。
【００１２】
また、本発明によるオークションシステムは、電力を発電し余剰電力を供給する余剰電力供給システムから、電力販売時期および電力販売量を示す販売情報を受信し、余剰電力供給システムと同一の電力供給網に接続された送電システムおよびその電力供給網に接続されていない送電システムに対して、販売情報を送信する販売情報通知手段と、余剰電力供給システムと同一の電力供給網に接続された送電システムおよびその電力供給網に接続されていない送電システムから入札情報を受信する入札情報受信手段と、入札情報に基づいて余剰電力の販売先となる送電システムを決定する販売先決定手段と、販売先となる送電システムの決定結果を余剰電力供給システムに送信する決定結果送信手段と、余剰電力供給システムが余剰電力として送電した電力を受電するオークションシステム側受電手段と、その電力を、販売先として決定された送電システムに送電するオークションシステム側送電手段とを備えることを特徴とする。
【００１３】
また、本発明による余剰電力供給システムは、電力を発電し、余剰電力を供給する余剰電力供給システムであって、電力を発電する発電手段と、当該余剰電力供給システムと同一の電力供給網に接続された送電システムから電力を受電する余剰電力供給システム側受電手段と、発電手段が発電した電力および余剰電力供給システム側受電手段が受電した電力のうち、当該余剰電力供給システムの管理者によって使用されなかった電力を蓄電する蓄電手段と、電力供給網に接続された送電システムおよびその電力供給網に接続されていない送電システムから受信する入札情報に基づいて余剰電力の販売先となる送電システムを決定するオークションシステムに、電力販売時期および電力販売量を示す販売情報を送信する販売情報送信手段と、オークションシステムから販売先となる送電システムの決定結果を受信する決定結果受信手段と、決定結果を受信した場合に、電力販売時期にオークションシステムに対して余剰電力を送電する余剰電力供給システム側送電手段とを備え、余剰電力供給システム側送電手段が、蓄電手段に蓄電された電力を余剰電力としてオークションシステムに対して送電することを特徴とする。
【００１４】
また、本発明による余剰電力売買方法は、電力を発電し、余剰電力を供給する余剰電力供給システムが、当該余剰電力供給システムと同一の電力供給網に接続された送電システムおよびその電力供給網に接続されていない送電システムとの間で通信を行い、余剰電力の販売先となる送電システムを決定するオークションシステムに対して、電力販売時期および電力販売量を示す販売情報を送信し、オークションシステムが、販売情報を受信し、余剰電力供給システムと同一の電力供給網に接続された送電システムおよびその電力供給網に接続されていない送電システムに対して、販売情報を送信し、余剰電力供給システムと同一の電力供給網に接続された送電システムおよびその電力供給網に接続されていない送電システムから入札情報を受信し、入札情報に基づいて余剰電力の販売先となる送電システムを決定し、販売先となる送電システムの決定結果を余剰電力供給システムに送信し、余剰電力供給システムが、決定結果を受信した場合に、電力販売時期にオークションシステムに対して余剰電力を送電し、オークションシステムが、余剰電力供給システムによって余剰電力として送電された電力を受電し、その電力を、販売先として決定された送電システムに送電することを特徴とする。
【００１５】
また、本発明によるオークションプログラムは、電力を発電し余剰電力を供給する余剰電力供給システムが余剰電力として送電した電力を受電する受電手段と、電力の販売先となる送電システムにその電力を送電する送電手段とを備えるコンピュータに搭載されるオークションプログラムであって、コンピュータに、余剰電力供給システムから、電力販売時期および電力販売量を示す販売情報を受信し、余剰電力供給システムと同一の電力供給網に接続された送電システムおよびその電力供給網に接続されていない送電システムに対して、販売情報を送信する販売情報通知処理、余剰電力供給システムと同一の電力供給網に接続された送電システムおよびその電力供給網に接続されていない送電システムから入札情報を受信する入札情報受信処理、入札情報に基づいて余剰電力の販売先となる送電システムを決定する販売先決定処理、販売先となる送電システムの決定結果を余剰電力供給システムに送信する決定結果送信処理、および、余剰電力供給システムから受電した電力を、販売先となる送電システムに送電するように送電手段を制御する送電制御処理を実行させることを特徴とする。
【００１６】
また、本発明による余剰電力供給プログラムは、電力を発電する発電手段を備えるコンピュータであって、当該コンピュータと同一の電力供給網に接続された送電システムから電力を受電する受電手段と、発電手段が発電した電力および受電手段が受電した電力のうち、当該コンピュータの管理者によって使用されなかった電力を蓄電する蓄電手段と、電力を送電する送電手段とを備えるコンピュータに搭載される余剰電力供給プログラムであって、コンピュータに、電力供給網に接続された送電システムおよびその電力供給網に接続されていない送電システムから受信する入札情報に基づいて余剰電力の販売先となる送電システムを決定するオークションシステムに、電力販売時期および電力販売量を示す販売情報を送信する販売情報送信処理、オークションシステムから販売先となる送電システムの決定結果を受信する決定結果受信処理、決定結果を受信した場合に、電力販売時期にオークションシステムに対して、蓄電手段に蓄電した電力を送電するように送電手段を制御する送電制御処理を実行させることを特徴とする。
【発明の効果】
【００１７】
本発明によれば、余剰電力販売者の設備と同じ電力供給網に接続されていない電気事業者に対しても余剰電力を販売することができる。
【００１８】
また、本発明によれば、余剰電力販売者が発電した電力と電気事業者から供給される電力のうちの余剰電力を販売することができる。
【図面の簡単な説明】
【００１９】
【図１】本発明による余剰電力売買システムの例を示す説明図である。
【図２】余剰電力供給システムの構成例を示すブロック図である。
【図３】売電オークションシステムの構成例を示すブロック図である。
【図４】ＰＰＳ送電システムの構成例を示すブロック図である。
【図５】本発明の余剰電力売買システムの処理経過の例を示すフローチャートである。
【図６】本発明の余剰電力売買システムの最小構成の例を示すブロック図である。
【図７】余剰電力の販売先となる一般電気事業者および特定規模電気事業者を模式的に示す模式図である。
【発明を実施するための形態】
【００２０】
以下、本発明の実施形態を図面を参照して説明する。
【００２１】
図１は、本発明による余剰電力売買システムの例を示す説明図である。本発明の余剰電力売買システムは、余剰電力供給システム１４０と、売電オークションシステム１５０とを備える。
【００２２】
余剰電力供給システム１４０は、余剰電力販売者によって管理される。余剰電力供給システム１４０は、電力供給網１３０に接続され、電力供給網１３０を介して電気事業者から電力を供給される。さらに、余剰電力供給システム１４０自身も発電する機能を有する。そして、余剰電力供給システム１４０は、売電オークションシステム１５０を介して余剰電力を電気事業者に販売する。本実施形態では、特定規模電気事業者の中から販売先を決定する場合を例にして説明するが、一般電気気業者を販売先候補に含めてもよい。
【００２３】
電力供給網１３０には、一般電気事業者が管理する送電システム（以下、一般送電システムと記す。）１１０および特定規模電気事業者が管理する送電システム（以下、ＰＰＳ送電システムと記す。）１２０が接続されている。余剰電力供給システム１４０は、一般送電システム１１０とＰＰＳ送電システム１２０のどちらから電力を供給されていてもよい。なお、一般送電システム１１０およびＰＰＳ送電システム１２０は、発電システム１００によって発電された電力を電力需要者に送電する。発電システム１００は、発電事業者によって管理される。
【００２４】
なお、余剰電力販売者も電力需要者に該当する。
【００２５】
また、余剰電力供給システム１４０が接続されている電力供給網１３０には接続されずに、他の電力供給網（図示略）に接続されているＰＰＳ送電システム１６０も存在する。図１では、ＰＰＳ送電システム１６０を３つ図示しているが、ＰＰＳ送電システム１６０の数は３つに限定されない。個々のＰＰＳ送電システム１２０，１６０は、それぞれ異なる特定規模電気事業者によって管理される。各ＰＰＳ送電システム１６０も、それぞれ自身の電力需要者に電力を送電する。
【００２６】
売電オークションシステム１５０は、余剰電力供給システム１４０と同一の電力供給網１３０に接続されているＰＰＳ送電システム１２０、および電力供給網１３０に接続されていない各ＰＰＳ送電システム１６０それぞれに対して、送電可能に接続されている。そして、売電オークションシステム１５０は、各ＰＰＳ送電システム１２０，１６０の中から、余剰電力供給システム１４０で生じた余剰電力の販売先をオークションによって決定する。具体的には、余剰電力供給システム１４０が、余剰電力の販売時期および販売量を示す販売情報を売電オークションシステム１５０に送信し、売電オークションシステム１５０は、その販売情報を各ＰＰＳ送電システム１２０，１６０に送信する。そして、売電オークションシステム１５０は、各ＰＰＳ送電システム１２０，１６０からそれぞれ入札情報を受信すると、受信した各入札情報に基づいて、余剰電力の販売先を決定する。そして、販売時期になると、余剰電力供給システム１４０は、売電オークションシステム１５０に余剰電力を送電し、売電オークションシステム１５０は、販売先として決定したＰＰＳ送電システムに対して、その余剰電力を送電する。
【００２７】
なお、図１では、説明を簡単にするために、売電オークションシステム１５０と個々のＰＰＳ送電システム１２０，１６０を直接結ぶように図示しているが、売電オークションシステム１５０から個々のＰＰＳ送電システム１２０，１６０への送電は、一般電気事業者の管理する電力供給網を介して行われる。この電力供給網は、図１に示す電力供給網１３０とは限らない。
【００２８】
前述のように、売電オークションシステム１５０は、ＰＰＳ送電システム１２０および各ＰＰＳ送電システム１６０に送電可能に接続されている。従って、余剰電力供給システム１４０は、電力供給網１３０に接続されていないＰＰＳ送電システム１６０に対しても余剰電力を販売することができる。
【００２９】
図２は、余剰電力供給システム１４０の構成例を示すブロック図である。余剰電力供給システム１４０は、販売情報送信部１と、発電部２と、受電部３と、蓄電部４と、決定結果受信部５と、送電制御部６と、送電部７とを備える。
【００３０】
販売情報送信部１は、余剰電力の販売時期および販売量を示す販売情報を売電オークションシステム１５０（図１参照）に送信する。販売情報は、例えば、余剰電力販売者によって余剰電力供給システム１４０に入力され、販売情報送信部１は、その販売情報を送信すればよい。販売情報を決定する場合、例えば、電力消費がピークとなる期間として予想される期間を余剰電力の販売時期として定めればよい。また、その期間における余剰電力の予想量を余剰電力の販売量として定めればよい。なお、他の方法によって、余剰電力の販売時期および販売量を決定してもよい。
【００３１】
なお、余剰電力販売者が余剰電力供給システム１４０に販売情報を入力する場合、余剰電力供給システム１４０は、販売情報の入力デバイス（例えば、キーボード等。図示略。）を備えていればよい。
【００３２】
発電部２は、電力を発電する。発電部２による発電態様は、特に限定されない。例えば、発電部２は、太陽光発電を行ってもよい。あるいは、発電部２は、ヒートポンプによる発電を行ってもよい。発電部２が発電した電力は、余剰電力販売者によって使用される。
【００３３】
受電部３は、電力供給網１３０を介して、一般送電システム１１０またはＰＰＳ送電システム１２０から電力を受電する。受電部３が受信した電力も、余剰電力販売者によって使用される。
【００３４】
蓄電部４は、発電部２が発電した電力のうち、余剰電力販売者によって使用されなかった電力を蓄電する。
【００３５】
また、蓄電部４は、受電部３が受電した電力のうち、余剰電力販売者によって使用されなかった電力も蓄電する。例えば、夜間等、電気料金が低く設定される所定期間に、受電部３が、余剰電力販売者の使用量以上の電力を受電し、蓄電部４は、その電力のうち、使用されなかった電力を蓄電すればよい。なお、その他の期間においては、受電部３は、余剰電力販売者の使用分だけ電力を受電すればよい。
【００３６】
蓄電部４に蓄電された電力が余剰電力に該当する。
【００３７】
決定結果受信部５は、余剰電力の販売先となるＰＰＳ送電システムの決定結果をオークションシステム１５０から受信する。
【００３８】
送電部７は、蓄電部４に蓄電された電力（すなわち、余剰電力）をオークションシステム１５０に送電する。
【００３９】
送電制御部６は、余剰電力の販売先となるＰＰＳ送電システムの決定結果を受信した場合に、販売情報で定めていた余剰電力の販売時期に、オークションシステム１５０に対して余剰電力を送電させるように送電部７を制御する。
【００４０】
販売情報送信部１、決定結果受信部５および送電制御部６は、例えば、余剰電力供給プログラムに従って動作するコンピュータによって実現される。この場合、例えば、コンピュータが、余剰電力供給プログラムを読み込み、そのプログラムに従って、販売情報送信部１、決定結果受信部５および送電制御部６として動作すればよい。あるいは、販売情報送信部１、決定結果受信部５および送電制御部６がそれぞれ別々のユニットで実現されていてもよい。
【００４１】
図３は、売電オークションシステム１５０の構成例を示すブロック図である。売電オークションシステム１５０は、受電部１１と、送電部１２と、送電制御部１３と、販売情報通知部１４と、入札情報受信部１５と、販売先決定部１６と、決定結果送信部１７とを備える。
【００４２】
販売情報通知部１４は、販売情報送信部１（図２参照）が送信した販売情報を受信する。そして、販売情報通知部１４は、余剰電力供給システム１４０と同一の電力供給網１３０に接続されているＰＰＳ送電システム１２０、および電力供給網１３０に接続されていない各ＰＰＳ送電システム１６０それぞれに対して、その販売情報を送信する。
【００４３】
なお、余剰電力供給システム１４０と売電オークションシステム１５０の間で販売情報を伝える通信ネットワークの形態は特に限定されない。同様に、売電オークションシステム１５０と各ＰＰＳ送電システム１２０，１６０の間で販売情報を伝える通信ネットワークの形態も特に限定されない。
【００４４】
入札情報受信部１５は、販売情報に対する応答として各ＰＰＳ送電システム１２０，１６０が送信した入札情報を受信する。入札情報には、例えば、ＰＰＳ送電システムを所有する特定規模電気事業者が定めた電力購入量、購入価格（すなわち、入札価格）の情報、および特定規模電気事業者の識別情報が含まれる。
【００４５】
なお、各ＰＰＳ送電システム１２０，１６０と売電オークションシステム１５０の間で入札情報を伝える通信ネットワークの形態は特に限定されない。
【００４６】
購入先決定部１６は、各ＰＰＳ送電システム１２０，１６０から受信した入札情報に基づいて、余剰電力供給システム１４０における余剰電力の販売先を決定する。例えば、購入先決定部１６は、最も高い購入価格を指定したＰＰＳ送電システムを、余剰電力の販売先として決定すればよい。
【００４７】
決定結果送信部１７は、余剰電力の販売先となるＰＰＳ送電システムの決定結果を余剰電力供給システム１４０に送信する。決定結果送信部１７は、この決定結果の情報に、販売先となるＰＰＳ送電システムの入札情報において定められた電力購入量、購入価格の情報、および特定規模電気事業者の識別情報も含めて送信する。
【００４８】
売電オークションシステム１５０と余剰電力供給システム１４０の間で、余剰電力の販売先の決定結果を伝える通信ネットワークの形態は特に限定されない。
【００４９】
受電部１１は、余剰電力供給システム１４０が余剰電力として送電した電力を受電する。
【００５０】
送電部１２は、送電制御部１３に従って、余剰電力の販売先として決定されたＰＰＳ送電システムに、受電部１１が受電した電力を送電する。
【００５１】
送電制御部１３は、余剰電力の販売先となるＰＰＳ送電システムに対して受電部１１が受電した電力を送電するように送電部１２を制御する。
【００５２】
販売情報通知部１４、入札情報受信部１５、販売先決定部１６、決定結果送信部１７および送電制御部１３は、例えば、オークションプログラムに従って動作するコンピュータによって実現される。この場合、例えば、コンピュータが、オークションプログラムを読み込み、そのプログラムに従って、販売情報通知部１４、入札情報受信部１５、販売先決定部１６、決定結果送信部１７および送電制御部１３として動作すればよい。あるいは、販売情報通知部１４、入札情報受信部１５、販売先決定部１６、決定結果送信部１７および送電制御部１３がそれぞれ別々のユニットで実現されていてもよい。
【００５３】
図４は、ＰＰＳ送電システムの構成例を示すブロック図である。以下の説明では、図４を参照して、余剰電力供給システム１４０と同一の電力供給網１３０に接続されてないＰＰＳ送電システム１６０を例にして説明するが、電力供給網１３０に接続されているＰＰＳ送電システム１２０も同様の構成である。
【００５４】
ＰＰＳ送電システム１６０は、受電部２１と、送電部２２と、販売情報受信部２３と、販売情報出力制御部２４と、販売情報出力部２５と、入札情報送信部２６とを備える。
【００５５】
販売情報受信部２３は、販売情報通知部１４（図３参照）が送信した販売情報を受信する。
【００５６】
販売情報出力部２５は、販売情報を出力する出力デバイスである。例えば、販売情報を表示するディスプレイ装置である。販売情報の出力態様は、特に限定されないが、本例では販売情報を表示する場合を例にして説明する。
【００５７】
販売情報出力制御部２４は、販売情報受信部２３が受信した販売情報を販売情報出力部２５に出力させる。本例では、販売情報出力制御部２４は、販売情報出力部２５に販売情報を表示させる。
【００５８】
入札情報送信部２６は、特定規模電気事業者から入力された入札情報を売電オークションシステム１５０に送信する。このとき、特定規模電気事業者は、余剰電力に関する販売情報を確認した上で、希望する電力購入量および購入価格の情報と、特定規模電気事業者自身の識別情報とを含む入札情報をＰＰＳ送電システム１６０に入力すればよい。なお、特定規模電気事業者は、電力購入量として、販売情報が示す余剰電力の販売量以下の量を指定する。
【００５９】
なお、ＰＰＳ送電システム１６０は、入札情報の入力デバイス（例えば、キーボード等。図示略。）を備え、入札情報送信部２６は、その入力デバイスから入力された入札情報を売電オークションシステム１５０に送信すればよい。
【００６０】
なお、本例では、特定規模電気事業者が販売情報を確認して、入札情報を定める場合を例にして説明するが、他の態様で入札情報を定めてもよい。
【００６１】
受電部２１は、余剰電力供給システム１４０から売電オークションシステム１５０を介して送電される余剰電力を受電する。また、受電部２１は、ＰＰＳ送電システム１６０に対して電力を供給する発電システムからも電力を受電する。なお、図１では、ＰＰＳ送電システム１２０に対して電力を供給する発電システム１００を図示しているが、各ＰＰＳ送電システム１６０は、発電システム１００以外の発電システムから電力の供給を受けてもよい。
【００６２】
送電部２２は、ＰＰＳ送電システム１６０から電力の供給を受ける電力需要者に電力を送電する。
【００６３】
前述のように、本実施形態では、特定規模電気事業者の中から販売先を決定する場合を例にするが、一般電気気業者を販売先候補に含めてもよい。この場合、電力供給網１３０に接続されている一般送電システム１１０や、電力供給網１３０に接続されていない一般送電システム（図示略）も、ＰＰＳ送電システム１２０，１６０と同様の構成であればよい。そして、売電オークションシステム１５０は、各ＰＰＳ送電システムだけでなく、各一般送電システムにも販売情報を送信し、各一般送電システムからも入札情報を受信し、各ＰＰＳ送電システムおよび各一般送電システムの中から余剰電力の販売先を決定すればよい。
【００６４】
次に、本発明の動作について説明する。図５は、本発明の余剰電力売買システムの処理経過の例を示すフローチャートである。余剰電力供給システム１４０に販売情報が入力されると、販売情報送信部１（図２参照）は、その販売情報を売電オークションシステム１５０に送信する（ステップＳ１）。販売情報は、余剰電力の販売時期および販売量を示す。
【００６５】
売電オークションシステム１５０の販売情報通知部１４（図３参照）は、その販売情報を受信すると、余剰電力供給システム１４０と同一の電力供給網１３０に接続されているＰＰＳ送電システム１２０、および電力供給網１３０に接続されていない各ＰＰＳ送電システム１６０それぞれに対して、販売情報を送信する（ステップＳ２）。
【００６６】
各送電システム１２０，１６０において、販売情報受信部２３（図４参照）は、ステップＳ２で送信された販売情報を受信し、販売情報出力制御部２４は、その販売情報を販売情報出力部２５に表示させる。個々の送電システム１２０，１６０の管理者である特定規模電気事業者は、販売情報に含まれる余剰電力の販売時期および販売量を確認し、希望する電力購入量および購入価格を決定する。そして、特定規模電気事業者は、電力購入量、購入価格の情報、および、特定規模電気事業者自身の識別情報を含む入札情報を、その特定規模電気事業者が管理する送電システムに入力する。なお、さらに他の情報が入札情報に含まれていてもよい。各送電システム１２０，１６０において、入札情報送信部２６は、入力された入札情報を売電オークションシステム１５０に送信する（ステップＳ３）。
【００６７】
売電オークションシステム１５０の入札情報受信部１５（図３参照）が各送電システム１２０，１６０から入札情報を受信すると、販売先決定部１６（図３参照）は、各入札情報に基づいて、余剰電力供給システム１４０における余剰電力の販売先を決定する（ステップＳ４）。
【００６８】
そして、決定結果送信部１７（図３参照）は、余剰電力の販売先となるＰＰＳ送電システムの決定結果の情報に、そのＰＰＳ送電システムの入札情報において定められた電力購入量、購入価格の情報、および特定規模電気事業者の識別情報を含める。そして、決定結果送信部１７は、その決定結果の情報を余剰電力供給システム１４０に送信する（ステップＳ５）。余剰電力供給システム１４０の決定結果受信部５（図２参照）は、この決定結果の情報を受信する。
【００６９】
ステップＳ５の後、送電制御部６は、販売情報で定められた販売時期の開始を検出すると（ステップＳ６）、送電部７に、余剰電力をオークションシステム１５０に対して送信させる。具体的には、送電制御部６は、蓄電部４に蓄電された電力を送電部７に送電させる（ステップＳ７）。このとき、蓄電部４には、発電部２が発電した電力および受電部３が受電した電力のうち、余剰電力販売者によって使用されなかった電力も蓄電が蓄電されている。
【００７０】
ステップＳ７において、送電制御部６は、決定結果の情報が示す電力購入量分の電力を、販売時期の間に送電部７に送電させる。
【００７１】
売電オークションシステム１５０の受電部１１（図３参照）は、ステップＳ７で送電された電力を受電する（ステップＳ８）。そして、送電制御部１３（図３参照）は、余剰電力の販売先としてステップＳ４で決定されたＰＰＳ送電システムに対して、受電部１１が受電した電力を送電するように送電部１２を制御する。送電部１２は、送電制御部１３に従って、余剰電力の販売先となるＰＰＳ送電システムに電力を送電する（ステップＳ９）。この結果、余剰電力供給システム１４０が供給した余剰電力は、売電オークションシステム１５０を介して、販売先となるＰＰＳ送電システムに送られることになる。
【００７２】
余剰電力の販売先として決定されたＰＰＳ送電システムの受電部２１（図４参照）は、ステップＳ９で送電された電力を受電する（ステップＳ１０）。そして、そのＰＰＳ送電システムの送電部２２は、その電力を電力需要者に向けて送電する（ステップＳ１１）。
【００７３】
なお、余剰電力の購入を希望しない特定規模電気事業者は、売電オークションシステム１５０に入札情報を送信しなくてよい。販売先決定部１６は、どのＰＰＳ送電システムからも入札情報を受信しなかった場合には、ステップＳ４，Ｓ５を行わなくてよい。また、その結果、ステップＳ４における決定結果の情報を余剰電力供給システム１４０が受信しなかった場合、余剰電力供給システム１４０の送電制御部６は、販売情報で定められた販売時期の開始を検出した場合であっても、ステップＳ７を実行しなくてよい。すなわち、余剰電力の送電を行わなくてよい。
【００７４】
本発明によれば、売電オークションシステム１５０が、余剰電力供給システム１４０と同一の電力供給網１３０に接続されているＰＰＳ送電システム１２０、および電力供給網１３０に接続されていない各ＰＰＳ送電システム１６０それぞれに対して、販売情報を送信し、それらの各ＰＰＳ送電システム１２０から入札情報を受信する。そして、売電オークションシステム１５０は、入札情報に基づいて、それらの各ＰＰＳ送電システムから余剰電力の販売先を決定し、その決定結果を余剰電力供給システム１４０に送信する。そして、余剰電力供給システム１４０は、販売先の決定結果を受信すると、販売情報内で規定した販売時期に余剰電力を売電オークションシステム１５０に送電し、売電オークションシステム１５０は、販売先として決定したＰＰＳ送電システムに、その電力を送電する。従って、余剰電力販売者は、余剰電力の販売先を余剰電力供給システム１４０と同一の電力供給網１３０に接続されているＰＰＳ送電システム１２０に限定されずに、電力供給網１３０に接続されていないＰＰＳ送電システム１３０も余剰電力の販売先とすることができる。すなわち、余剰電力販売者は、ＰＰＳ送電システム１２０と各ＰＰＳ送電システム１６０のいずれも販売先の候補として、その中から入札情報に基づいて決定された販売先に余剰電力を販売することができ、余剰電力の販売先を広げることができる。
【００７５】
また、本実施形態によれば、蓄電部４（図２参照）は、余剰電力供給システム１４０の発電部２が発電した電力のうち、余剰電力販売者によって使用されなかった電力の他、受電部３が受電した電力のうち、余剰電力販売者によって使用されなかった電力も蓄電する。従って、受電部３が電気事業者から受電した電力のうち使用されなかった電力も余剰電力として販売することができる。また、例えば、余剰電力販売者は、電気料金が低く設定される所定期間（例えば、夜間）等に余剰電力販売者の使用量以上の電力を受電部３で受電し、使用しない分を蓄電部４に蓄電し、その電力も余剰電力として販売することができる。
【００７６】
図６は、本発明の余剰電力売買システムの最小構成の例を示すブロック図である。本発明の余剰電力売買システムは、電力を発電し、余剰電力を供給する余剰電力供給システム８０（例えば、余剰電力供給システム１４０）と、余剰電力供給システム８０と同一の電力供給網に接続された送電システム（例えば、ＰＰＳ送電システム１２０）およびその電力供給網に接続されていない送電システム（例えば、ＰＰＳ送電システム１６０）との間で通信を行い、余剰電力の販売先となる送電システムを決定するオークションシステム９０（例えば、売電オークションシステム１５０）とを備える。
【００７７】
余剰電力供給システム８０は、発電手段８１と、販売情報送信手段８２と、決定結果受信手段８３と、余剰電力供給システム側送電手段８４とを備える。
【００７８】
発電手段８１（例えば、発電部２）は、電力を発電する。
【００７９】
販売情報送信手段８２（例えば、販売情報送信部１）は、電力販売時期および電力販売量を示す販売情報をオークションシステム９０に送信する。
【００８０】
決定結果受信手段８３（例えば、決定結果受信部５）は、オークションシステム９０から販売先となる送電システムの決定結果を受信する。
【００８１】
余剰電力供給システム側送電手段８４（例えば、送電部７）は、決定結果を受信した場合に、電力販売時期にオークションシステム９０に対して余剰電力を送電する。
【００８２】
オークションシステム９０は、販売情報通知手段９１と、入札情報受信手段９２と、販売先決定手段９３と、決定結果送信手段９４と、オークションシステム側受電手段９５と、オークションシステム側送電手段９６とを備える。
【００８３】
販売情報通知手段９１（例えば、販売情報通知部１４）は、販売情報を受信し、余剰電力供給システム８０と同一の電力供給網に接続された送電システムおよびその電力供給網に接続されていない送電システムに対して、その販売情報を送信する。
【００８４】
入札情報受信手段９２（例えば、入札情報受信部１５）は、余剰電力供給システム８０と同一の電力供給網に接続された送電システムおよびその電力供給網に接続されていない送電システムから入札情報を受信する。
【００８５】
販売先決定手段９３（例えば、販売先決定部１６）は、入札情報に基づいて余剰電力の販売先となる送電システムを決定する。
【００８６】
決定結果送信手段９４（例えば、決定結果送信部１７）は、販売先となる送電システムの決定結果を余剰電力供給システム８０に送信する。
【００８７】
オークションシステム側受電手段９５（例えば、受電部１１）は、余剰電力供給システム側送電手段８４が余剰電力として送電した電力を受電する。
【００８８】
オークションシステム側送電手段９６（例えば、送電部１２）は、その電力を、販売先として決定された送電システムに送電する。
【００８９】
そのような構成により、余剰電力販売者の設備と同じ電力供給網に接続されていない電気事業者に対しても余剰電力を販売することができる。
【００９０】
また、余剰電力供給システム８０が、余剰電力供給システム８０と同一の電力供給網に接続された送電システムから電力を受電する余剰電力供給システム側受電手段（例えば、受電部３）と、発電手段８１が発電した電力および余剰電力供給システム側受電手段が受電した電力のうち、余剰電力供給システム８０の管理者によって使用されなかった電力を蓄電する蓄電手段（例えば、蓄電部４）とを含み、余剰電力供給システム側送電手段８４が、蓄電手段に蓄電された電力を余剰電力としてオークションシステムに対して送電する構成であってもよい。
【産業上の利用可能性】
【００９１】
本発明は、余剰電力の売買を行う際における余剰電力の販売先の決定、および、その販売先への電力の供給に好適に適用可能である。
【符号の説明】
【００９２】
１  販売情報送信部
２  発電部
３  受電部
４  蓄電部
５  決定結果受信部
６  送電制御部
７  送電部
１１  受電部
１２  送電部
１３  送電制御部
１４  販売情報通知部
１５  入札情報受信部
１６  販売先決定部
１７  決定結果送信部
１２０，１６０  ＰＰＳ送電システム
１３０  電力供給網
１４０  余剰電力供給システム
１５０  売電オークションシステム
【図１】
2013222252.tif 000003
【図２】
2013222252.tif 000004
【図３】
2013222252.tif 000005
【図４】
2013222252.tif 000006
【図５】
2013222252.tif 000007
【図６】
2013222252.tif 000008
【図７】
2013222252.tif 000009